(57)【要約】      （修正有）【課題】本考案は自転車ペダルの先端部の両面に回転プレートを設置する事で、自転車の走行を楽にする。【解決手段】本考案はキャスターを改造し、滑り止めを施した回転プレートを自転車ペダルの先端部の両面に設置しその上に足をのせてペダルを踏むと自動的に内転しながらペダルが踏まれるこの捻りながら押す力が有効な力を付加し従来のペダルによるより労力が少なく楽に走行できる事を特徴とする。【選択図】図７
0003127094.tif 000002
【実用新案登録請求の範囲】
【請求項１】
キャスター回転部を使用し金属、合成樹脂で製作された回転プレートを自転車ペダルの先端部の両面に設置する為の自転車ペダル用回転プレート。
【請求項２】
回転プレート面の形状は、円形又は角型であって滑り止めの形式は自由である請求項１記載の自転車ペダル用回転プレート。
【請求項３】
回転プレート付き自転車のペダル（Ａ）は、ペダルの全長を従来のペダルより約２センチ位長くしペダルの中軸を適度に短くし、一方ペダルの先端部を長くし回転プレートの設置場所をより先端に一段低く設置出来るようにしてさらに外側に請求項１，２記載の回転プレートを設置出来る予備の穴を各２個所ずつ設けた回転プレート付き自転車ペダル。
【請求項４】
回転プレート付き自転車ペダル（Ｂ）は、従来の自転車ペダルの表面の先端部に回転プレートを設置できるよう平らにし、穴を２箇所開けて両面に回転プレートを繋ぎとめて設置した回転プレート付き自転車ペダル。
【考案の詳細な説明】
【技術分野】
【０００１】  本考案は、自転車ペダル先端部の両面に回転プレートを取り付けた自転車ペダルに関するものである。
【背景技術】
【０００２】  従来の自転車ペダルは、表面に凹凸や突起が設けられていてペダルを踏むときに靴底が前後左右にずれない、そのため股関節の自由な動きが制限されペダルを踏む力が弱く左右のペダルの切り替えがスムーズにできない。
【考案の開示】
【考案が解決しようとしている課題】
【０００３】  本考案は、自転車ペダルの先端部の両面に回転プレートをボルトで繋ぎとめて設置し股関節の動きを自由にして自転車機能に有効な力を付与し、より楽に走行できる製品を安価に提供出来ることで前述の課題を解決するものである。
【０００４】  特許文献特開平４−８５１８８号公報に記載の自転車ペダルは、回転する踏板の中心がペダル軸のほぼ真ん中にあり、左足と右足との間隔が狭く意識して内転しなくてはならないのであまり効果が得られない。サドルの下からハンドルの取り付け口にフレームを渡している自転車はそのフレームに脛や膝の内側が当たるので、内転する踏板の効果がほとんど得られない。長時間乗っていると股ずれを起こす場合があり、ペダル軸の一部分を伸ばして回転する踏板の中心を外側に移すことができるとあるので上記の欠点は一応解消されるかに思われるが、クランクと踏板との間隔が空くので足を踏み外す危険があり、外側に伸ばし過ぎると急カーブのときペダルの先端が地面をこする場合があり構造が複雑で実用普及化にはまだ疑問点がありペダル全部を１から製造する事によりコスト高となる。
【課題を解決するための手段】
【０００５】  本考案は、自転車ペダル先端部の両面に回転プレートを設置し、その上に足をのせてペダルを踏むと股関節の動きが自由になり、「大腿四頭筋」「大腿二頭筋」等の働きに加えて、前面は、「長内転筋」「大腿直筋」後面は、「中殿筋」「大殿筋」「大内転筋」深層筋は「腸腰筋」等股関節を取り巻く筋肉の働きによって自動的に、股関節が内転しながら踏み込まれる。この捻りながら押す力が有効な力を生み出し左右の足の切り替えもスムーズになる。
【考案の効果】
【０００６】  本考案は、回転プレートが自転車ペダルの表面の先端部に設置してあるので左右の足の間隔が広く足裏の母子球近くで回転プレートを踏むと自動的に股関節が内転しながらペダルを踏まれるので股ずれすることもなく自転車のサドル下からハンドルの取り付け口に渡しているフレームに脛や膝の内側が当たらないので回転プレートの効果が充分得られる。又従来の自転車ペダルにも簡単に回転プレートを設置することが出来、安価に提供出来る。
【０００７】  風上に向かって走行、坂道走行、重い荷物を積んでの走行、長距離走行、夜間ダイナモ発電機を使用した走行等回転プレートで内転を強調する事によりいっそう楽に走行が出来る。
【０００８】  身体の前後左右のゆれ自転車の蛇行腰を浮かしての走行等が少なくてすみ、股関節を柔らかく自由に動かすことによって健康増進に役立ち環境に優しい乗り物として地球温暖化防止、交通事情緩和に今以上に効果がある。
【考案を実施するための最良の形態】
【０００９】  キャスターの回転部ベアリング５を使用して、金属、合成樹脂等で自転車ペダルに取付けの出来る固定板１１に滑り止めの突起を設けた回転プレート２を組み合わせて自転車ペダル用回転プレートを構成する。【００１０】  図１の１は、キャスターの車輪を支えている部分と回転プレートを自転車ペダルに設置するための固定部とし、２のキャスターの固定部を回転プレートの回転部とする。３は、滑り止め及び突起の形体は自由である。【００１１】  図３，４の４の穴はボルトで自転車ペダルの表面の先端部の両面に回転プレートを接続して設置するボルト穴である。図２．５のベアリングと図３．６の回転部の中軸とで固定部と回転部とを接続して回転プレートを構成する。【００１２】  図５．７は、新規に製作された自転車ペダル本体であって、従来の自転車ペダルより全体を約２ｃｍ長くして回転プレートを一段低くして、より先端部に設置出来るようにした、回転プレート付き自転車ペダルである。図８．９は、Ａ．Ｂ同型の回転プレートで１０のボルトでＡ．Ｂの回転プレートを接続して設置する。
【実施例】
【００１３】  図６．１１は、自転車ペダルの中軸であり、適度に短くして自転車ペダルの先端部は長くしてある。１２は、回転プレートを更にペダルの先端部に設置する事でより良い走行効果を得る為の予備穴である。【００１４】  図８の１４は、従来の自転車ペダルであり、ペダル表面の先端部を平らにして回転プレートを設置し易くする為に２箇所に穴を開けて自転車ペダルの両面の先端部に図８．９の回転プレートを１０のボルトで接続して設置した回転プレート付き自転車ペダルで、回転プレートをはずすと従来の自転車ペダルとして使用出来る。
【図面の簡単な説明】
【００１５】
【図１】滑り止めを施した回転プレートの平面図
【図２】図１の正面図
【図３】図１の裏面図
【図４】図１の斜視図
【図５】回転プレート付き自転車ペダルの側面図
【図６】図５の平面図
【図７】図５の斜視図
【図８】回転プレート付き従来の自転車ペダルの側面図
【図９】図８の平面図
【符号の説明】
【００１６】１  自転車ペダルに回転プレートを設置するための固定板
２  回転プレートの回転部
３  滑り止めの突起
４  自転車ペダルに回転プレートを設置するための穴
５  回転プレートの回転部のベアリング
６  回転プレートの回転部の中軸部
７  新しく製造した自転車ペダルの本体
８  回転プレートＡ
９  回転プレートＢ
１０  Ａ，Ｂの回転プレートを両面に繋ぎとめて設置しているボルト、点線は隠れている部分
１１  自転車ペダルの中軸部
１２  回転プレートをさらに先端部に設置する為の予備の穴
１３  斜線＝空間部
１４  従来の自転車ペダルの本体
【図１】
0003127094.tif 000003
【図２】
0003127094.tif 000004
【図３】
0003127094.tif 000005
【図４】
0003127094.tif 000006
【図５】
0003127094.tif 000007
【図６】
0003127094.tif 000008
【図７】
0003127094.tif 000009
【図８】
0003127094.tif 000010
【図９】
0003127094.tif 000011
【手続補正書】
【提出日】平成18年8月30日(2006.8.30)
【手続補正１】
【補正対象書類名】実用新案登録請求の範囲
【補正対象項目名】全文
【補正方法】変更
【補正の内容】
【実用新案登録請求の範囲】
【請求項１】
自転車ペダルの先端部に回転プレ−トを装備してなることを特徴とする回転プレ−ト付き自転車用ペダル。
【請求項２】
自転車ペダルの先端部の両面に回転プレ−トを装備してなる請求項１記載の回転プレ−ト付き自転車ペダル。
【請求項３】
回転プレ−トは、金属又は合成樹脂で製作されている請求項１又は２記載の回転プレ−ト付き自転車ペダル。
【請求項４】
回転プレ−トは、円型又は角型であって、表面に滑り止めの突起を設けた請求項１，２又は３記載の回転プレ−ト付き自転車ペダル。
【手続補正３】
【補正対象書類名】明細書
【補正対象項目名】０００９
【補正方法】変更
【補正の内容】
【０００９】固定板１にベアリング５を介して回転部２を設置し、該回転部２の上面に滑り止めの突起３を敷設する。回転部２はベアリング５の中軸６によって固定板１に付して回転自在である。なお、滑り止めの突起３の形態は自由である。４は固定板１に併設された穴である。図５に示すように自転車ペダル７の先端の表裏に２つの回転ペダル用回転プレ−トを配備し、穴４にボルト１０を挿通して固定する。
【手続補正４】
【補正対象書類名】明細書
【補正対象項目名】００１０
【補正方法】変更
【補正の内容】
【００１０】  回転プレ−ト２は、金属又は合成樹脂等で製作し、形状は円型又は角型であって、表面に滑り止めの突起３を設けた回転プレ−ト付き自転車ペダルを構成する。